【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
バックパック及びウエストバッグ運搬システムであって、
バックパックと、
ウエストベルトと、
レシーバと、
を有し、
前記バックパックは、物品を受ける第１のコンパートメントを定義し且つ身体接触壁を有するバッグ部分と、装着者の背部上で前記バッグ部分を担持する肩ストラップとを有し、
前記ウエストベルトは、前記バッグ部分の下方において前記バックパックに対して動作可能なように接続され、
前記レシーバは、前記ウエストベルトによって担持され、それによって前記装着者は、前記バッグ部分の下方から前記装着者の前方まで前記レシーバを移動させるよう、前記装着者のウエストの周囲に前記レシーバを動かし得る、
バックパック及びウエストバッグ運搬システム。
【請求項２】
前記肩ストラップ及び前記ウエストベルトは、前記レシーバが前記バッグ部分の下方にある際に、互いに協働して前記バッグ部分及び前記レシーバの両方を担持し得る、
請求項１記載のバックパック及びウエストバッグ運搬システム。
【請求項３】
前記レシーバを前記バックパックに対して取外し可能に固定する手段、を更に有する、
請求項１記載のバックパック及びウエストバッグ運搬システム。
【請求項４】
前記レシーバを取外し可能に固定する前記手段は、前記装着者が前記装着者の背部上に前記バックパックを装着する際に、前記装着者によって操作され得る、
請求項３記載のバックパック及びウエストバッグ運搬システム。
【請求項５】
前記レシーバは、前記ウエストベルトに対して接続され、前記ウエストベルトは、前記バッグ部分の下方から前記装着者の前方まで前記レシーバを移動させるよう前記装着者のウエストの周囲に回転される、
請求項２記載のバックパック及びウエストバッグ運搬システム。
【請求項６】
身体接触壁は更に、前記バックパックが前記装着者の背部上に装着される際に、前記装着者の前記背部の腰部まで前記バッグ部分の下方において延在する、下方部分を有する、
請求項５記載のバックパック及びウエストバッグ運搬システム。
【請求項７】
前記身体接触壁の前記下方部分は、前記バックパック及びウエストバッグ運搬システムが前記装着者によって装着される際に、前記ウエストベルトと前記装着者の前記背部の前記腰部との間において延在する、
請求項６記載のバックパック及びウエストバッグ運搬システム。
【請求項８】
前記レシーバが前記バッグ部分の下方において位置決めされる際に前記レシーバを担持するよう前記身体接触壁の前記下方部分に対して取り付けられる下部壁、を更に有する、
請求項６記載のバックパック及びウエストバッグ運搬システム。
【請求項９】
前記下部壁に対して取り付けられ且つ前記バッグ部分に対して上方向に延在する、非身体接触壁を更に有し、
したがって前記身体接触壁と、前記下部壁と、前記バッグ部分とは、前記レシーバが前記バッグ部分の下方に位置決めされる際に前記レシーバを収容するよう寸法を定められる第２のコンパートメントを形成し、前記レシーバの出入りを可能にするよう少なくとも１つの側部開口を有する、
請求項８記載のバックパック及びウエストバッグ運搬システム。
【請求項１０】
前記レシーバは、前記レシーバが前記側部開放コンパートメントにおいて有される際に前記側部開放コンパートメントから実質的に突出しないよう寸法を定められる、
請求項９記載のバックパック及びウエストバッグ運搬システム。
【請求項１１】
前記ウエストベルトは、前記バッグ部分の下方において前記バックパックに対して動作可能なように接続され、
前記レシーバは、前記ウエストベルトによって摺動可能に担持され、前記装着者は、前記レシーバを前記バッグ部分の下方から前記装着者の前方まで移動させるよう、前記ウエストベルトに沿って長手方向に前記レシーバを動かし得る、
請求項２記載のバックパック及びウエストバッグ運搬システム。
【請求項１２】
前記ウエストベルトに対して取り付けるよう前記バッグ部分の下方において延在するストラップ、を更に有する、
請求項１１記載のバックパック及びウエストバッグ運搬システム。
【請求項１３】
前記レシーバは、第１のレシーバであり、前記バックパックに対する前記ウエストベルトの接続の一側上で前記ウエストベルト上に備え付けられ、
更には、前記バックパックに対する前記ウエストベルトの前記接続の他側上で前記ウエストベルト上に備え付けられる第２のレシーバを有し、それによって前記装着者は、前記第１及び第２のレシーバを前記バッグ部分の下方から前記装着者の前記前方まで移動させるよう、前記ウエストベルトの右側部及び左側部に沿って長手方向に前記第１及び第２のレシーバを展開し得る、
請求項１２記載のバックパック及びウエストバッグ運搬システム。
【請求項１４】
一体的なウエストバッグを有するバックパックであって、
バックパックと、
ウエストベルトに対して取り付けられるレシーバを有するウエストバッグと、
を有し、
前記バックパックは、肩ストラップを有し、前記バックパックの上方部分における第１のコンパートメントと、前記バックパックの下方部分における第２のコンパートメントとを定義し、該第２のコンパートメントは、前記バックパックの前記下方部分の右及び左側部上に開口を有し、
前記ウエストバッグは、前記バックパックが装着者の背部上に着用される際に前記装着者のウエストを取り巻くよう前記第２のコンパートメントを通って延在し、前記レシーバは、前記第２のコンパートメントの断面寸法及び形状に概して合致し且つそこに解放可能に含有可能であるよう断面寸法及び形状を有し、それによって、前記バックパックが前記装着者の背部上に着用される際に、前記装着者は、前記レシーバが前記第２のコンパートメントにおいて有され且つ前記装着者の背部に近接する第１の位置から前記レシーバが前記装着者の前方に近接する第２の位置まで、前記装着者のウエストの周囲に前記ウエストバッグを回転し得る、
一体的なウエストバッグを有するバックパック。
【請求項１５】
前記バックパックは、身体接触壁と、非身体接触壁と、上部壁と、中間壁と、下部壁とを有し、前記身体接触壁及び前記非身体接触壁は、互いから間隔をあけられて対面し、前記上部壁と、前記中間壁と、前記下部壁とに接合され、したがって前記上部壁及び前記下部壁は、前記中間壁のいずれかの側部上で前記中間壁から間隔をあけられ、
バッグ部分は、前記第１のコンパートメントを定義するよう、前記上方壁と、前記中間壁と、前記身体接触壁の上方部分と、前記非身体接触壁の上方部分とに対して取り付けられる右及び左側壁を有し、
前記中間壁と、前記下部壁と、前記身体接触壁の下方部分と、前記非身体接触壁の下方部分とは、前記バックパックの右及び左側部上において前記バックパックの外側に対して開放する前記第２のコンパートメントを定義し、
肩ストラップは、前記バックパックの前記身体接触壁上に与えられ、人間である装着者の肩にわたって掛けられるよう適合される、
請求項１４記載の一体的なウエストバッグを有するバックパック。
【請求項１６】
前記身体接触壁の前記下方部分と、前記非身体接触壁の前記下方部分と、前記中間壁と、前記下部壁とは、前記第２のコンパートメントの形状を保持するよう実質的に剛性である、
請求項１５記載の一体的なウエストバッグを有するバックパック。
【請求項１７】
前記身体接触壁上の前記下方部分上に位置決めされるフック又はループ材料を更に有し、該フック又はループ材料は、前記ウエストベルトの内側側部上に位置決めされる対応するループ又はフック材料と取外し可能に係合する、
請求項１４記載の一体的なウエストバッグを有するバックパック。
【請求項１８】
前記レシーバに対向する前記ウエストベルトの内側側部上に位置決めされる前記ループ又はフック材料は、前記ウエストベルトの前記内側側部における少なくとも１つのウインドウの下方において位置決めされる、
請求項１７記載の一体的なウエストバッグを有するバックパック。
【請求項１９】
リリーサプレートを更に有し、前記リリーサプレートは、前記ウエストベルト内において位置決めされ、且つ前記ウエストベルトと摺動可能に係合し、前記ループ又はフック材料と前記ウエストベルトの前記内側側部上の前記少なくとも１つのウインドウとの間にある、
請求項１８記載の一体的なウエストバッグを有するバックパック。
【請求項２０】
前記リリーサプレートは、そこに定義される少なくとも１つのウインドウを有し、前記ウインドウが前記リリーサプレートにおいて形成され、且つ前記ウエストベルトの前記内側側部が一致する際には、前記ループ又はフック材料に対してアクセスし得るようにし、また、前記リリーサプレートにおいて形成される前記ウインドウと前記ウエストベルトの前記内側側部とが一致しない際には、前記ループ又はフック材料に対するアクセスを妨害し得るようにする、
請求項１９記載の一体的なウエストバッグを有するバックパック。
【請求項２１】
前記身体接触壁の前記下方部分上に位置決めされる前記フック又はループ材料は、前記第２のコンパートメントへと突出するバンパーとして形成され、前記フック又はループ材料は、前記レシーバが前記第２のコンパートメントにおいて有される際に前記リリーサプレート及び前記ウエストベルトの前記内側側部において形成される前記ウインドウへと突出する、
請求項２０記載の一体的なウエストバッグを有するバックパック。
【請求項２２】
前記ウエストベルトの外側側部上に配置され、前記リリーサプレートに対して動作可能に取り付けられるハンドルを更に有し、前記装着者は、前記身体接触壁の前記下方部分上に位置決めされる前記フック又はループ材料と、前記ウエストベルトの前記内側側部上に位置決めされる前記対応するループ又はフック材料とを係合及び解放するよう前記リリーサプレートを摺動するよう前記ハンドルを引き得る、
請求項１９記載の一体的なウエストバッグを有するバックパック。